(57)【特許請求の範囲】
【請求項１】
管状支柱の側面に設けられた取付孔に挿通された横ビーム端部と取付孔端縁との間にくさび状の固定部材が圧入されることにより、横ビームが支柱に取付けられ、前記取付孔は横ビーム端部が挿通される上部孔と、固定部材が差し込み可能な下部孔とから構成されると共に、前記下部孔は前記上部孔より狭幅となされて、上部孔に挿通された横ビーム端部が上部孔の下端縁に載置可能となされており、そして横ビーム端部の下面と下部孔の下端縁との間に圧入された固定部材によって、横ビーム端部が上部孔の上端縁に押圧されて固定されていることを特徴とする防護柵。
【発明の詳細な説明】
【技術分野】
【０００１】
本発明は、道路側縁等に間隔をおいて立設された支柱間に横ビームが取付けられた防護柵に関するものである。
【背景技術】
【０００２】
従来、かかる防護柵に関する提案は種々なされており、例えば特許文献１に記載されるような防護柵がある。
【０００３】
この防護柵は、支柱の側面に、横ビームの断面サイズよりやや大きい取付孔を設け、この取付孔の周縁部に環状のリングを取付け、このリングの中に横ビームの先端部を挿入し、この挿入した横ビームの先端部に設けた通孔の中に取付ピンを挿入したものである。この際、リングが外れないように、この挿入したリングの先端部を支柱の内側に沿うように折り曲げ、この折曲部と外側のリングとで支柱の側面を挟んでリングを支柱に取付けている。
【０００４】
【特許文献１】実開昭５３−２５２７号公報
【発明の開示】
【発明が解決しようとする課題】
【０００５】
しかしながら、上述の如き防護柵においては、リングの中に横ビームの先端部を挿入する際、挿入しやすい様にリングの内径を横ビームの外径より大きくし過ぎるとガタツキを生じ、逆に小さくし過ぎると挿入しずらくなるが、いずれにしても、リングの内径と横ビームの外径との間に、幾ばくかの隙間が必要であり、この隙間によって、車両通行時等に横ビームが不必要に振動し、異音が発生する問題がある。さらに、この振動により、リングと横ビームとが擦れて、リングや横ビームが破損する恐れもある。
【０００６】
そこで本発明は上記の如き問題点を解消し、横ビームをガタツクことなく支柱に簡単に取付けることができる防護柵を提供せんとするものである。
【課題を解決するための手段】
【０００７】
上記目的を達成するために、本発明は次のような構成としている。
すなわち、本発明に係る防護柵は、管状支柱の側面に設けられた取付孔に挿通された横ビーム端部と取付孔端縁との間にくさび状の固定部材が圧入されることにより、横ビームが支柱に取付けられ、前記取付孔は横ビーム端部が挿通される上部孔と、固定部材が差し込み可能な下部孔とから構成されると共に、前記下部孔は前記上部孔より狭幅となされて、上部孔に挿通された横ビーム端部が上部孔の下端縁に載置可能となされており、そして横ビーム端部の下面と下部孔の下端縁との間に圧入された固定部材によって、横ビーム端部が上部孔の上端縁に押圧されて固定されていることを特徴とするものである。
【発明の効果】
【０００８】
本発明によれば、管状支柱の側面に設けられた取付孔に挿通された横ビーム端部と取付孔端縁との間にくさび状の固定部材が圧入されることにより、横ビームが支柱に取付けられ、前記取付孔は横ビーム端部が挿通される上部孔と、固定部材が差し込み可能な下部孔とから構成されると共に、前記下部孔は前記上部孔より狭幅となされて、上部孔に挿通された横ビーム端部が上部孔の下端縁に載置可能となされており、そして横ビーム端部の下面と下部孔の下端縁との間に圧入された固定部材によって、横ビーム端部が上部孔の上端縁に押圧されて固定されているため、例えばハンマー等の打撃具により、固定部材を横ビーム端部と取付孔端縁との間に打ち込むだけで、横ビームをガタツキなく支柱に取付けることができる。また、固定部材を横ビーム端部の下面と取付孔の下端縁との間に圧入して目立たない位置に取付けることができるため、外観上も好ましい。
【発明を実施するための最良の形態】
【００１０】
本発明に係る実施の形態について、図面に基づき以下に具体的に説明する。
すなわち、図１は本発明に係る防護柵の実施の一形態を示す正面図、図２は図１の横ビームと支柱との取付部の詳細を示す部分断面図、図３（ａ）は図１に使用された固定部材の正面図、（ｂ）はその平面図、（ｃ）はその底面図、（ｄ）はその左側面図、（ｅ）はその右側面図、図４は図１に使用された支柱に設けられた取付孔の説明図である。
【００１１】
Ｐは道路等に設置される本発明に係る防護柵であって、間隔をおいて立設された支柱１間に横ビーム２が上下並行に間隔を開けて３段に取付けられている。
【００１２】
支柱１の側面には取付孔３が穿設され、上端部にはキャップ４が冠着されている。支柱１の断面形状は円形、矩形等、特に限定されるものではなく、またその材質も特に限定されるものではない。尚、本形態では、該支柱１は、断面がほぼ矩形のパイプからなり、材質は鋼管やアルミニウム管、又はそれらの外周に合成樹脂が塗装又は被覆されたもの等から作製されている。
【００１３】
横ビーム２は、前記支柱１と同様に、断面がほぼ矩形のパイプからなり、鋼管やアルミニウム管、又はそれらの外周に合成樹脂が塗装又は被覆されたもの等から作製される。尚、上下に横ビーム２を取付け、該横ビーム２間に適宜縦桟やパネルが取付られていてもよい。
【００１４】
５は、前記支柱１の側面に穿設された取付孔３に挿通された横ビーム２が抜け落ちるのを防止するための止めピンであり、該止めピン５は線材が逆Ｌ字形状に曲折されたものから作製され、横ビーム２端部に穿設された貫通孔２１に挿入され係止されている。
【００１５】
６はくさび状の固定部材であって、前記支柱１の側面に穿設された取付孔３に横ビーム２端部を挿通した後、横ビーム２端部の下面と取付孔３下端縁との間に、固定部材６の先端側から、ハンマー等の打撃具により打ち込み、圧入することにより、横ビーム２はガタツキなく支柱１に取付けられている。
【００１６】
具体的には、前記取付孔３は横ビーム２端部が挿通される上部孔３１と、前記上部孔３１より狭幅の固定部材６が差し込み可能な下部孔３２とから構成されている。そして、横ビーム２端部を上部孔３１に挿通し、横ビーム２端部を上部孔３１の下端縁に載置すると共に、下部孔３２に固定部材６の先端側を差し込み、圧入することにより、横ビーム２端部の下面と取付孔３の下端縁である下部孔３２の下端縁との間に圧入された固定部材６によって、横ビーム２端部が上部孔３１の上端縁に押圧されて固定される。
【００１７】
尚、本形態では、取付孔３を上部孔３１と下部孔３２とから構成したが、横ビーム２端部が挿通される上部孔３１のみから構成してもよい。この場合は、取付孔３に横ビーム２端部を挿通する際、横ビーム２端部の下端面は自重で取付孔３の下端縁に当接するため、固定部材６を差し込む際は、横ビーム２端部を若干持ち上げ、隙間を作って差し込む必要がある。
【００１８】
前記固定部材６は、基端に下部孔３２を覆い隠す大きさの係止部６１が設けられ、固定部材６が打撃具により下部孔３２に打ち込まれた際に、固定部材６が支柱１の内部に入り込まないよう、係止部６１にて係止されるようになされている。
【００１９】
また、固定部材６は、係止部６１の裏面からくさび部６２が突出されており、該くさび部６２は先端に向かうに従い、その厚みが徐々に薄くなるようになされている。
【００２０】
また、くさび部６２の上面側及び下面側には、先端側を傾斜面とする鋸歯形状の突起６３ａ、６３ｂがそれぞれ形成されている。そして固定部材６が下部孔３２に打ち込まれた際、上面側の突起６３ｂは横ビーム２の下面に引っかかり、下面側の突起６３ａは下部孔３２の下端縁に引っかかることで、固定部材６が抜け落ちないようになされている。
【００２１】
また、前記の如く、横ビーム２端部に穿設された貫通孔２１に挿入される止めピン５の邪魔をしないように、くさび部６２は台形状に切欠かれて平面視コ字状を呈しており、その中央部を止めピン５が下方に通過されるようになされている。尚、左右方向に角度を伴って横ビーム２を取付ける際に、止めピン５と固定部材６とが干渉する場合には、コ字状の一方を切断し、固定部材６を打ち込めばよい。
【００２２】
尚、固定部材６の材質は特に限定されるものではないが、前記の如く、横ビーム２と取付孔３の隙間に打ち込まれ、且つ横ビーム２や支柱１を傷つけないように、合成樹脂や硬質のゴム等が好ましい。
【００２３】
上記形態は、支柱１及び横ビーム２のいずれもが略矩形のものであったが、円形の場合は、くさび部６２が三日月状の固定部材６を使う等、使用する支柱１及び横ビーム２の形状に応じて、適宜係止部６１やくさび部６２の形状を変更した固定部材６を用いればよい。
【産業上の利用可能性】
【００２４】
本発明に係る防護柵は、例えばハンマー等の打撃具により、固定部材を横ビーム端部と取付孔端縁との間に打ち込むだけで、横ビームをガタツキなく支柱に取付けることができるため、施工性に優れた防護柵として、好適に利用することができる。
【図面の簡単な説明】
【００２５】
【図１】本発明に係る防護柵の実施の一形態を示す正面図である。
【図２】図１の横ビームと支柱との取付部の詳細を示す部分断面図である。
【図３】（ａ）は図１に使用された固定部材の正面図、（ｂ）はその平面図、（ｃ）はその底面図、（ｄ）はその左側面図、（ｅ）はその右側面図である。
【図４】図１に使用された支柱に設けられた取付孔の説明図である。
【符号の説明】
【００２６】
Ｐ      防護柵
１      支柱
２      横ビーム
３      取付孔
３１    上部孔
３２    下部孔
６      固定部材
６１    係止部
６２    くさび部
６３ａ  突起
６３ｂ  突起
【図１】
0004618801.tif 000002
【図２】
0004618801.tif 000003
【図３】
0004618801.tif 000004
【図４】
0004618801.tif 000005